(57)【特許請求の範囲】
【請求項１】
少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンと、該チェーンが巻掛けられるスプロケットとからなるチェーン伝動装置において、
前記外リンクプレート及び前記内リンクプレートが、それぞれリンクプレートの進行方向前後２か所にリンクプレート歯を有し、
前記スプロケットが、前記ブシュ又はローラと噛み合うスプロケット歯を有するとともに、該スプロケット歯の側方に前記リンクプレート歯と噛み合うサイドスプロケット歯を有し、
前記リンクプレート歯、スプロケット歯及びサイドスプロケット歯の形状が、前記チェーンが前記スプロケットに巻掛る時に、最初にリンクプレートの進行方向前方側に位置するリンクプレート歯の内股部が前記サイドスプロケット歯に接触し、次いで、前記チェーンが屈曲して、該リンクプレートの進行方向前方側に位置するブシュ又はローラが前記スプロケット歯に接触し、さらに前記チェーンが屈曲して、該リンクプレートの進行方向後方側に位置するブシュ又はローラが前記スプロケット歯の歯底に着座した時に該リンクプレートの進行方向前方側に位置するリンクプレート歯の外股部及び進行方向後方側に位置するリンクプレート歯の外股部が前記サイドスプロケット歯に接触する形状であることを特徴とするチェーン伝動装置。
【請求項２】
前記サイドスプロケット歯が、前記スプロケット歯の両側に設けられたことを特徴とする請求項１に記載のチェーン伝動装置。
【請求項３】
前記リンクプレート歯が、前記外リンクプレート及び前記内リンクプレートの上下両側に設けられたことを特徴とする請求項１または請求項２に記載のチェーン伝動装置。
【請求項４】
少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンにおいて、
前記外リンクプレート及び前記内リンクプレートが、それぞれリンクプレートの進行方向前後２か所にリンクプレート歯を有し、
前記リンクプレート歯の形状が、スプロケットに巻掛る時に、最初にリンクプレートの進行方向前方側に位置するリンクプレート歯の内股部がスプロケットに接触し、次いで、前記チェーンが屈曲して、該リンクプレートの進行方向前方側に位置するブシュ又はローラがスプロケットに接触し、さらに前記チェーンが屈曲して、該リンクプレートの進行方向後方側に位置するブシュ又はローラがスプロケットの歯底に着座した時に該リンクプレートの進行方向前方側に位置するリンクプレート歯の外股部及び進行方向後方側に位置するリンクプレート歯の外股部がスプロケットに接触する形状であることを特徴とするチェーン。
【請求項５】
前記リンクプレート歯が、前記外リンクプレート及び前記内リンクプレートの上下両側に設けられたことを特徴とする請求項４に記載のチェーン。
【請求項６】
少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンが巻掛けられるスプロケットにおいて、
前記スプロケットが、前記ブシュ又はローラと噛み合うスプロケット歯を有するとともに、該スプロケット歯の側方に前記リンクプレート歯と噛み合うサイドスプロケット歯を有し、
前記スプロケット歯及びサイドスプロケット歯の形状が、前記チェーンが前記スプロケットに巻掛る時に、最初にリンクプレートの進行方向前方側に位置するリンクプレートの内股部が前記サイドスプロケット歯に接触し、次いで、前記チェーンが屈曲して、該リンクプレートの進行方向前方側に位置するブシュ又はローラが前記スプロケット歯に接触し、さらに前記チェーンが屈曲して、該リンクプレートの進行方向後方側に位置するブシュ又はローラが前記スプロケット歯の歯底に着座した時に該リンクプレートの進行方向前方側に位置するリンクプレートの外股部及び進行方向後方側に位置するリンクプレートの外股部が前記サイドスプロケット歯に接触する形状であることを特徴とするスプロケット。
【請求項７】
前記サイドスプロケット歯が、前記スプロケット歯の両側に設けられたことを特徴とする請求項６に記載のスプロケット。
【発明の詳細な説明】
【技術分野】
【０００１】
本発明は、スプロケットに巻掛けられたチェーンにより動力を伝達するチェーン伝動装置、例えば、エンジンの動弁系やオイルポンプなどの補機等の従動軸を駆動するのに適したチェーン伝動装置に関する。
【背景技術】
【０００２】
従来、チェーン伝動装置として、ブシュチェーン又はローラチェーン等のチェーンを用いたチェーン伝動装置やサイレントチェーンを用いたチェーン伝動装置は周知である。
また、サイレントチェーンのリンクとローラチェーンのリンクとを組み合わせたチェーンと、これらのリンクが噛み合う複数の歯を有するスプロケットとからなるチェーン伝動装置は公知である。
【０００３】
この公知のチェーン伝動装置５００は、図１５、図１６に示すように、サイレントチェーンとして機能する一対のリンクプレート歯を有するリンクプレート５１１を両外側に配置し、その内側にローラチェーンとして機能するリンクプレート歯が無いリンクプレート５１２及びローラ５２０を配置して連結ピン５３０により連結したチェーン５１０と、両側部にサイレントチェーン用の歯５５２が形成され、中央部にローラチェーン用の歯５５１が形成されたスプロケット５５０とを有している。
【０００４】
そして、該チェーン伝動装置５００は、通常の伝動はサイレントチェーンとして機能するリンクプレート５１１のリンクプレート歯とスプロケット歯５５２により行い、リンクプレート５１１のリンクプレート歯がスプロケット歯５５２に着座した後に、ローラ５２０がスプロケット歯５５１に当接するものである（例えば、特許文献１参照。）。
【特許文献１】特公昭５９−３０９３６号公報（第２頁、図２、図３）
【発明の開示】
【発明が解決しようとする課題】
【０００５】
しかしながら、従来周知のサイレントチェーンを用いたチェーン伝動装置は、連結ピンの摩耗による伸びが大きくチェーン全体が伸びて強度が低下するという問題があり、また、従来周知のローラチェーンを用いたチェーン伝動装置は、ローラの高強度化がネックとなってチェーンの高強度化が困難であると共に、スプロケットへの噛合い時における騒音が大きいという問題があった。
【０００６】
また、上記公知のチェーン伝動装置は、通常の伝動はサイレントチェーンとして機能するリンクプレートのリンクプレート歯とスプロケット歯により行うため、噛合い連結ピンの摩耗による伸びが大きくチェーン全体が伸びて強度が低下するという問題は、ローラがスプロケット歯に当接することで緩和はされるものの、依然として解消するものではなかった。
【０００７】
さらに、上記公知のチェーン伝動装置は、チェーンの幅方向にリンクプレート歯付きリンクプレートとリンクプレート歯のないリンクプレートとが４枚ずつ合計８枚配置されているため、構成部品の種類が増え組立工程も複雑となるという問題があった。
【０００８】
本発明は、前述したような従来技術の問題を解決するものであって、すなわち、本発明の目的は、連結ピンの摩耗による伸びでチェーン全体が伸びて強度が低下することを防止しつつ、スプロケットへの噛合い時における騒音を減少させ、かつ、構成部品の種類が少なく組立も容易なチェーン伝動装置を提供することである。
【課題を解決するための手段】
【０００９】
本請求項１に係る発明は、少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンと、該チェーンが巻掛けられるスプロケットとからなるチェーン伝動装置において、前記外リンクプレート及び前記内リンクプレートが、それぞれリンクプレートの進行方向前後２か所にリンクプレート歯を有し、前記スプロケットが、前記ブシュ又はローラと噛み合うスプロケット歯を有するとともに、該スプロケット歯の側方に前記リンクプレート歯と噛み合うサイドスプロケット歯を有し、前記リンクプレート歯、スプロケット歯及びサイドスプロケット歯の形状が、前記チェーンが前記スプロケットに巻掛る時に、最初にリンクプレートの進行方向前方側に位置するリンクプレート歯の内股部が前記サイドスプロケット歯に接触し、次いで、前記チェーンが屈曲して、該リンクプレートの進行方向前方側に位置するブシュ又はローラが前記スプロケット歯に接触し、さらに前記チェーンが屈曲して、該リンクプレートの進行方向後方側に位置するブシュ又はローラが前記スプロケット歯の歯底に着座した時に該リンクプレートの進行方向前方側に位置するリンクプレート歯の外股部及び進行方向後方側に位置するリンクプレート歯の外股部が前記サイドスプロケット歯に接触する形状であることにより、前記課題を解決するものである。
【００１０】
本請求項２に係る発明は、請求項１に記載されたチェーン伝動装置の構成に加えて、前前記サイドスプロケット歯が、前記スプロケット歯の両側に設けられたことにより、前記課題をさらに解決するものである。
【００１１】
本請求項３に係る発明は、請求項１または請求項２に記載されたチェーン伝動装置の構成に加えて、前記リンクプレートのリンクプレート歯が、前記外リンクプレート及び前記内リンクプレートの上下両側に設けられたことにより、前記課題をさらに解決するものである。
【００１２】
本請求項４に係る発明は、少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンにおいて、前記外リンクプレート及び前記内リンクプレートが、それぞれリンクプレートの進行方向前後２か所にリンクプレート歯を有し、前記リンクプレート歯の形状が、スプロケットに巻掛る時に、最初にリンクプレートの進行方向前方側に位置するリンクプレート歯の内股部がスプロケットに接触し、次いで、前記チェーンが屈曲して、該リンクプレートの進行方向前方側に位置するブシュ又はローラがスプロケットに接触し、さらに前記チェーンが屈曲して、該リンクプレートの進行方向後方側に位置するブシュ又はローラがスプロケットの歯底に着座した時に該リンクプレートの進行方向前方側に位置するリンクプレート歯の外股部及び進行方向後方側に位置するリンクプレート歯の外股部がスプロケットに接触する形状であることにより、前記課題を解決するものである。
【００１３】
本請求項５に係る発明は、請求項４に記載されたチェーンの構成に加えて、前記リンクプレートのリンクプレート歯が、前記外リンクプレート及び前記内リンクプレートの上下両側に設けられたことにより、前記課題をさらに解決するものである。
【００１４】
本請求項６に係る発明は、少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンが巻掛けられるスプロケットにおいて、前記スプロケットが、前記ブシュ又はローラと噛み合うスプロケット歯を有するとともに、該スプロケット歯の側方に前記リンクプレート歯と噛み合うサイドスプロケット歯を有し、前記スプロケット歯及びサイドスプロケット歯の形状が、前記チェーンが前記スプロケットに巻掛る時に、最初にリンクプレートの進行方向前方側に位置するリンクプレートの内股部が前記サイドスプロケット歯に接触し、次いで、前記チェーンが屈曲して、該リンクプレートの進行方向前方側に位置するブシュ又はローラが前記スプロケット歯に接触し、さらに前記チェーンが屈曲して、該リンクプレートの進行方向後方側に位置するブシュ又はローラが前記スプロケット歯の歯底に着座した時に該リンクプレートの進行方向前方側に位置するリンクプレートの外股部及び進行方向後方側に位置するリンクプレートの外股部が前記サイドスプロケット歯に接触する形状であることにより、前記課題を解決するものである。
【００１５】
本請求項７に係る発明は、請求項６に記載されたスプロケットの構成に加えて、前前記サイドスプロケット歯が、前記スプロケット歯の両側に設けられたことにより、前記課題をさらに解決するものである。
【発明の効果】
【００１６】
本請求項１に係る発明のチェーン伝動装置は、少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンと、該チェーンが巻掛けられるスプロケットとからなるチェーン伝動装置において、前記外リンクプレート及び前記内リンクプレートが、それぞれリンクプレートの進行方向前後２か所にリンクプレート歯を有し、前記スプロケットが、前記ブシュ又はローラと噛み合うスプロケット歯を有するとともに、該スプロケット歯の側方に前記リンクプレート歯と噛み合うサイドスプロケット歯を有していることにより、従来のローラチェーンと同様に、構成部品の種類が少なく組立も容易なチェーン伝動装置を提供できる。
【００１７】
また、リンクプレート歯、スプロケット歯及びサイドスプロケット歯の形状が、チェーンがスプロケットに巻掛る時に、最初にリンクプレートの進行方向前方側に位置するリンクプレート歯の内股部がサイドスプロケット歯に接触し、次いでチェーンが屈曲して、、該リンクプレートの進行方向前方側に位置するブシュ又はローラがスプロケット歯に接触する形状であることによって、スプロケットへのチェーンの巻掛け時には従来のサイレントチェーンと同様にリンクプレート歯の内股部がサイドスプロケット歯を滑るように接触を開始するため、接触時の騒音が大きく減少し、その後に接触するブシュ又はローラもスプロケット歯と衝突することなく接触することができ、騒音を大きく減少させることができる。
【００１８】
さらにチェーンが屈曲して、該リンクプレートの進行方向後方側に位置するブシュ又はローラがスプロケット歯の歯底に着座した時に該リンクプレートの進行方向前方側に位置するリンクプレート歯の外股部及び進行方向後方側に位置するリンクプレート歯の外股部が前記サイドスプロケット歯に接触する形状であることによって、チェーンが完全に巻掛った部分では伝動はブシュ又はローラとスプロケット歯で行われ、連結ピンの摩耗による伸びでチェーン全体が伸びて強度が低下することを防止できるとともに、リンクプレートの進行方向両側のリンクプレート歯の外股部がサイドスプロケット歯と接触することにより、リンクプレートが位置決めされてスプロケット歯の歯底に着座したブシュ又はローラの位置が安定的に保たれるため振動や騒音を大きく減少させることができる。
【００１９】
そして、本請求項２に係る発明のチェーン伝動装置は、請求項１に係るチェーン伝動装置が奏する効果に加えて、サイドスプロケット歯が、スプロケット歯の両側に設けられたことにより、巻掛け時にチェーンの両サイドに均等に力が伝達されるため、さらに振動や騒音を減少させることができる。
【００２０】
本請求項４に係る発明のチェーンは、少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンにおいて、前記外リンクプレート及び前記内リンクプレートが、それぞれリンクプレートの進行方向前後２か所にリンクプレート歯を有していることにより、従来のローラチェーンと同様に、構成部品の種類が少なく組立も容易なチェーンを提供できる。
【００２１】
また、リンクプレート歯の形状が、スプロケットに巻掛る時に、最初にリンクプレートの進行方向前方側に位置するリンクプレート歯の内股部がスプロケットに接触し、次いで、チェーンが屈曲して、該リンクプレートの進行方向前方側に位置するブシュ又はローラがスプロケットに接触することによって、スプロケットへのチェーンの巻掛け時には従来のサイレントチェーンと同様にリンクプレート歯の内股部がサイドスプロケット歯を滑るように接触を開始するため、接触時の騒音が大きく減少し、その後に接触するブシュ又はローラもスプロケット歯と衝突することなく接触することができ、騒音を大きく減少させることができる。
【００２２】
さらにチェーンが屈曲して、該リンクプレートの進行方向後方側に位置するブシュ又はローラがスプロケットの歯底に着座した時に該リンクプレートの進行方向前方側に位置するリンクプレート歯の外股部及び進行方向後方側に位置するリンクプレート歯の外股部がスプロケットに接触する形状であることによって、チェーンが完全に巻掛った部分では伝動はブシュ又はローラとスプロケット歯で行われ、連結ピンの摩耗による伸びでチェーン全体が伸びて強度が低下することを防止できるとともに、リンクプレートの進行方向両側のリンクプレート歯の外股部がサイドスプロケット歯と接触することにより、リンクプレートが位置決めされてスプロケット歯の歯底に着座したブシュ又はローラの位置が安定的に保たれるため振動や騒音を大きく減少させることができる。
【００２３】
また、本請求項５に係る発明のチェーンは、請求項４に係るチェーンが奏する効果に加えて、リンクプレート歯が、外リンクプレート及び内リンクプレートの上下両側に設けられたことにより、外リンクプレート及び内リンクプレートを上下どちらの方向でも使用できるため、従来のローラチェーンと同様に、組立時にリンクプレートの方向を整列させる必要がなく組立がより容易となるとともに、チェーン自体も上下どちらの方向でも使用可能となるため、スプロケットに巻掛ける方向を整列させる必要がなく、上下両方向に複数のスプロケットが存在するような伝動経路を持つ使用条件でも対応可能となる。
【００２４】
本請求項６に係る発明のスプロケットは、少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンが巻掛けられるスプロケットにおいて、前記スプロケットが、前記ブシュ又はローラと噛み合うスプロケット歯を有するとともに、該スプロケット歯の側方に前記リンクプレート歯と噛み合うサイドスプロケット歯を有し、前記スプロケット歯及びサイドスプロケット歯の形状が、前記チェーンが前記スプロケットに巻掛る時に、最初にリンクプレートの進行方向前方側に位置するリンクプレートの内股部が前記サイドスプロケット歯に接触し、次いで、チェーンが屈曲して、該リンクプレートの進行方向前方側に位置するブシュ又はローラが前記スプロケット歯に接触する形状であることによって、スプロケットへのチェーンの巻掛け時には従来のサイレントチェーンと同様にリンクプレート歯の内股部がサイドスプロケット歯を滑るように接触を開始するため、接触時の騒音が大きく減少し、その後に接触するブシュ又はローラもスプロケット歯と衝突することなく接触することができ、騒音を大きく減少させることができる。
【００２５】
さらにチェーンが屈曲して、該リンクプレートの進行方向後方側に位置するブシュ又はローラが前記スプロケット歯の歯底に着座した時に該リンクプレートの進行方向前方側に位置するリンクプレートの外股部及び進行方向後方側に位置するリンクプレートの外股部が前記サイドスプロケット歯に接触する形状であることによって、チェーンが完全に巻掛った部分では伝動はブシュ又はローラとスプロケット歯で行われ、連結ピンの摩耗による伸びでチェーン全体が伸びて強度が低下することを防止できるとともに、リンクプレートの進行方向両側のリンクプレート歯の外股部がサイドスプロケット歯と接触することにより、リンクプレートが位置決めされてスプロケット歯の歯底に着座したブシュ又はローラの位置が安定的に保たれるため振動や騒音を大きく減少させることができる。
【００２６】
そして、本請求項７に係る発明のスプロケットは、請求項６に係るスプロケットが奏する効果に加えて、サイドスプロケット歯が、スプロケット歯の両側に設けられたことにより、巻掛け時にチェーンの両サイドに均等に力が伝達されるため、さらに振動や騒音を減少させることができる。
【発明を実施するための最良の形態】
【００２７】
本発明のチェーン伝動装置並びにチェーン及びスプロケットは、少なくとも一対の外リンクプレートの前後のピン孔にそれぞれ連結ピン両端部を嵌入固定した外リンクと少なくとも一対の内リンクプレートの前後のブシュ孔にそれぞれブシュ又はローラが遊嵌されたブシュを嵌入固定した内リンクとが前記ブシュに前記連結ピンを交互に遊嵌することで多数連結されたチェーンと、該チェーンが巻掛けられるスプロケットとからなるチェーン伝動装置において、前記外リンクプレート及び前記内リンクプレートが、それぞれリンクプレートの進行方向前後２か所にリンクプレート歯を有し、前記スプロケットが、前記ブシュ又はローラと噛み合うスプロケット歯を有するとともに、該スプロケット歯の側方に前記リンクプレート歯と噛み合うサイドスプロケット歯を有し、前記リンクプレート歯、スプロケット歯及びサイドスプロケット歯の形状が、前記チェーンが前記スプロケットに巻掛る時に、最初にリンクプレートの進行方向前方側に位置するリンクプレート歯の内股部が前記サイドスプロケット歯に接触し、次いで、前記チェーンが屈曲して、該リンクプレートの進行方向前方側に位置するブシュ又はローラが前記スプロケット歯に接触し、さらに前記チェーンが屈曲して、該リンクプレートの進行方向後方側に位置するブシュ又はローラが前記スプロケット歯の歯底に着座した時に該リンクプレートの進行方向前方側に位置するリンクプレート歯の外股部及び進行方向後方側に位置するリンクプレート歯の外股部が前記サイドスプロケット歯に接触する形状であり、連結ピンの摩耗による伸びでチェーン全体が伸びて強度が低下することを防止しつつ、スプロケットへの噛合い時における騒音を減少させ、かつ、構成部品の種類が少なく組立も容易となるという効果を奏するものであれば、その具体的な実施態様は如何なるものであっても何ら構わない。
【００２８】
すなわち、本発明のチェーン伝動装置並びにチェーン及びスプロケットは、エンジンの動弁系やオイルポンプなどの補機等の従動軸を駆動するものであっても、他の動力伝達機構や搬送機構において使用されるものであっても良く、いかなる機構で使用されるものであっても良い。
また、本発明のチェーン伝動装置のチェーンの外リンク及び内リンクは、一対の外リンクプレート及び一対の内リンクプレートのみで構成されても良く、内側に複数枚のリンクプレートをさらに備えても良い。
さらに、内側に複数枚のリンクプレートをさらに備えた場合、内側のリンクプレートがリンクプレート歯を有してもよく、内側の複数枚のリンクプレートの一部のみがリンクプレート歯を有しても良く、全てのリンクプレートがリンクプレート歯を有しても良い。
【００２９】
また、本発明のチェーン伝動装置のスプロケットは、単一の部材の外面にスプロケット歯及びサイドスプロケット歯を設けたものであっても良く、スプロケット歯及びサイドスプロケット歯を持つ複数のスプロケットを同軸に固定したものであっても良い。
また、本発明のチェーン伝動装置は、チェーン伝動装置を構成するスプロケットのうち、少なくとも一つのスプロケットがサイドスプロケット歯を持つものであれば良く、全てのスプロケットがサイドスプロケット歯を持つものであっても良い。
【実施例】
【００３０】
以下に、本発明の実施例であるチェーン伝動装置並びにチェーン及びスプロケットについて、図面に基づいて説明する。
図１は、本発明の一実施例であるチェーン伝動装置の一部切断斜視図であり、図２は、図１の側面図であり、図３は、本発明の一実施例であるチェーン伝動装置のチェーンの分解斜視図であり、図４は、図３の内リンクプレートの側面図であり、図５は、図３の外リンクプレートの側面図であり、図６は、本発明の一実施例であるチェーン伝動装置のスプロケットの斜視図であり、図７は、図６のスプロケットの分解斜視図であり、図８乃至図１３は、本発明の一実施例であるチェーン伝動装置の動作説明図であり、図１４は、本発明の他の実施例であるチェーン伝動装置のリンクプレートの側面図である。
【００３１】
本発明の一実施例であるチェーン伝動装置１００は、図１、図２に示すように、チェーン１１０（一部のみ図示）がスプロケット１５０に巻掛けられて駆動力を伝達するものである。
チェーン１１０は、図３に示すように、一対の外リンクプレート１１２の前後のピン孔１１７にそれぞれ連結ピン１３０両端部が嵌入固定された外リンク１６０と、一対の内リンクプレート１１１の前後のブシュ孔１１６にそれぞれローラ１２０が遊嵌されたブシュ１４０を嵌入固定された内リンク１７０とが、ブシュ１４０に連結ピン１３０を交互に遊嵌することで多数連結されたて構成されている。
【００３２】
内リンクプレート１１１は、図４に示すように、前後にブシュ孔１１６を有するとともに、前後のブシュ孔１１６の下方にリンクプレート歯１１３を有しており、該リンクプレート歯１１３は、前後のリンクプレート歯１１３の対向する側の歯面である内股部１１４と外方の歯面である外股部１１５とで構成されている。
【００３３】
外リンクプレート１１２は、図５に示すように、前後にピン孔１１７を有するとともに、前後のピン孔１１７の下方にリンクプレート歯１１３を有しており、該リンクプレート歯１１３は、前後のリンクプレート歯１１３の対向する側の歯面である内股部１１４と外方の歯面である外股部１１５とで構成されている。
内リンクプレート１１１と外リンクプレート１１２は、ブシュ孔１１６とピン孔１１７が相違する以外は同一の形状である。
【００３４】
スプロケット１５０は、図６、図７に示すように、チェーン１１０のローラ１２０と噛合うスプロケット歯１５１を有するセンタースプロケット１５３と、チェーン１１０のリンクプレート歯１１３と噛合うサイドスプロケット歯１５２を有するサイドスプロケット１５４とから構成され、センタースプロケット１５３の両側面にサイドスプロケット１５４を配し一体回転するように構成されている。
なお、スプロケット１５０は単一の部材にスプロケット歯１５１及びサイドスプロケット歯１５２を形成したものであっても良い。
【００３５】
そして、リンクプレート歯１１３、スプロケット歯１５１及びサイドスプロケット歯１５２の形状は、チェーン１１０がスプロケット１５０に巻掛る時に、最初にリンクプレート１１１（１１２）の進行方向前方側に位置するリンクプレート歯１１３の内股部１１４がサイドスプロケット歯１５２に接触し、次いで、該リンクプレート１１１（１１２）の進行方向前方側に位置するローラ１２０がスプロケット歯１５１に接触し、さらに、該リンクプレート１１１（１１２）の進行方向後方側に位置するローラ１２０がスプロケット歯１５１の歯底に着座した時に該リンクプレート１１１（１１２）の進行方向前方側に位置するリンクプレート歯１１３の外股部１１５及び進行方向後方側に位置するリンクプレート歯の外股部１１５がサイドスプロケット歯１５２に接触するよう構成されている。
【００３６】
例えば、スプロケット歯１５１は標準的な歯形が採用され、リンクプレート歯１１３及びサイドスプロケット歯１５２の形状は、スプロケットの歯数等に応じて、上記動作が可能な関係となるように設定される。
【００３７】
以上のように構成されたチェーン伝動装置１００の動作について、図８乃至図１３に基づいて説明する。
図８乃至図１３は、スプロケット１５０が図面上反時計方向に回転し、チェーン１１０が順次スプロケット１５０に巻掛けられる動作を経時的に説明したものであるが、説明のため、図面上はスプロケット１５０を同一姿勢に固定しチェーン１１０が順次屈曲するように図示してある。
【００３８】
図８乃至図１３において、各リンクプレート（内リンクプレート１１１あるいは外リンクプレート１１２）はチェーン１１０の進行方向前側から順にリンクプレートＬ１、リンクプレートＬ２、リンクプレートＬ３で表し、各ローラをリンクプレートＬ１の進行方向前側のローラから順にローラＲ１、ローラＲ２、ローラＲ３で表す。
また、各リンクプレートＬ１、Ｌ２、Ｌ３の各リンクプレート歯はチェーン１１０の進行方向前側のリンクプレート歯をリンクプレート歯Ｈ１ｆ、リンクプレート歯Ｈ２ｆ、リンクプレート歯Ｈ３ｆ、チェーン１１０の進行方向後側のリンクプレート歯をリンクプレート歯Ｈ１ｒ、リンクプレート歯Ｈ２ｒ、リンクプレート歯Ｈ３ｒで表し、各リンクプレート歯の歯面の外股部を外股部Ｇ１ｆ、外股部Ｇ２ｆ、外股部Ｇ３ｆ、外股部Ｇ１ｒ、外股部Ｇ２ｒ、外股部Ｇ３ｒ、各リンクプレート歯の歯面の内股部を内股部Ｕ１ｆ、内股部Ｕ２ｆ、内股部Ｕ３ｆ、内股部Ｕ１ｒ、内股部Ｕ２ｒ、内股部Ｕ３ｒで表す。
【００３９】
まず、ローラＲ１がスプロケット歯１５１に着座した状態から説明を開始する。
チェーン１１０が進行すると、図８に示すように、リンクプレートＬ１はローラＲ１を中心に屈曲しローラＲ２及びリンクプレート歯Ｈ１ｒはスプロケット１５０に接近するが、リンクプレートＬ２のリンクプレート歯Ｈ２ｆも同時にスプロケット１５０に接近し、ローラＲ２及びリンクプレート歯Ｈ１ｒに先んじて、リンクプレートＬ２の内股部Ｕ２ｆがサイドスプロケット歯１５２に接触する。
このリンクプレートＬ２の内股部Ｕ２ｆとサイドスプロケット歯１５２の接触は、従来のサイレントチェーンを用いたチェーン伝動装置と同様にサイドスプロケット歯１５２に対し斜めからとなるため、騒音は小さい。
【００４０】
さらにチェーン１１０が進行すると、図９に示すように、リンクプレートＬ２の内股部Ｕ２ｆがサイドスプロケット歯１５２の歯面を滑りながらリンクプレートＬ２が屈曲を開始し、ローラＲ２が徐々にスプロケット歯１５１に接近する。
【００４１】
そして、図１０に示すように、ローラＲ２がスプロケット歯１５１に接触することでリンクプレートＬ１のスプロケット１５０への巻掛けが完了する。
ローラＲ２のスプロケット歯１５１への接触は、前述のとおりリンクプレートＬ２の内股部Ｕ２ｆがサイドスプロケット歯１５２の歯面を滑る動作に拘束されて徐々に接近しての接触となるため、従来のローラチェーンを用いた伝動装置に比べて騒音は極めて小さくなる。
【００４２】
さらに、ローラＲ１、Ｒ２がともにスプロケット歯１５１に着座したときにリンクプレートＬ１の外股部Ｇ１ｆ及びＧ１ｒがともにサイドスプロケット歯１５２に接触する形状に構成されており、ローラＲ１、Ｒ２とスプロケット歯１５１でチェーン１１０とスプロケット１５０の動力の伝達を行いつつ、リンクプレートＬ１が外股部Ｇ１ｆ及びＧ１ｒの２点でサイドスプロケット歯１５２に接触して位置決めされることにより、従来のローラチェーンを用いた伝動装置に比べて振動や騒音を軽減することができる。
【００４３】
ローラＲ１、Ｒ２の着座後は、図１１に示すように、リンクプレートＬ２はローラＲ２を中心に屈曲を開始してリンクプレートＬ２の内股部Ｕ２ｆがサイドスプロケット歯１５２の歯面から離脱し、図１２に示すように、リンクプレートＬ２のリンクプレート歯Ｈ２ｒ及びローラＲ３が急速にスプロケット１５０に接近する。
【００４４】
そして、チェーン１１０が進行すると、図１３に示すように、リンクプレートＬ２はローラＲ２を中心に屈曲しローラＲ３及びリンクプレート歯Ｈ２ｒはスプロケット１５０に接近するが、さらに後方のリンクプレートＬ３のリンクプレート歯Ｈ３ｆも同時にスプロケット１５０に接近し、ローラＲ３及びリンクプレート歯Ｈ２ｒに先んじて、リンクプレートＬ３の内股部Ｕ３ｆがサイドスプロケット歯１５２に接触し、リンクプレートが一つ分進行した図８に示す状態となる。
【００４５】
以上説明したように、本発明のチェーン伝動装置１００によれば、ローラとスプロケット歯の接触をリンクプレートとリンクプレート歯の接触で拘束して滑らかに行い、かつ、位置決めを行うことで、従来のサイレントチェーンを用いたチェーン伝動装置と同様の低騒音としつつ、動力の伝達はローラとスプロケット歯で行うことができるため、連結ピンの摩耗による伸びでチェーン全体が伸びて強度が低下することを防止できるなど、その効果は甚大である。
【００４６】
なお、リンクプレート歯１１３とサイドスプロケット歯１５２の噛合は、チェーン１１０スプロケット１５０への進入及び離脱時において騒音や振動を防止して円滑に巻掛けられる機能を担えば良く、動力の伝達機能はほぼ全てローラ１２０とスプロケット歯１５１の噛合が担っているため、リンクプレート歯１１３及びサイドスプロケット歯１５２の高さは最低限で良く、接触角度も浅いもので良い。
【００４７】
さらに、図１４に示すように、内リンクプレート２１１及び外リンクプレート２１２の上下両方にリンクプレート歯２１３を設ければ、従来のローラチェーンと同様に組立時にリンクプレート２１１（２１２）の方向を整列させる必要がなく組立がより容易となるとともに、チェーン自体も上下どちらの方向でも使用可能となるため、スプロケットに巻掛ける方向を整列させる必要がなく、上下両方向に複数のスプロケットが存在するような伝動経路を持つ使用条件でも対応可能となるなど、その効果は甚大である。
【図面の簡単な説明】
【００４８】
【図１】本発明の一実施例であるチェーン伝動装置の一部切断斜視図。
【図２】図１の側面図。
【図３】本発明の一実施例であるチェーン伝動装置のチェーンの分解斜視図。
【図４】図３の内リンクプレートの側面図。
【図５】図３の外リンクプレートの側面図。
【図６】本発明の一実施例であるチェーン伝動装置のスプロケットの斜視図。
【図７】図６のスプロケットの分解斜視図。
【図８】本発明の一実施例であるチェーン伝動装置の動作説明図。
【図９】本発明の一実施例であるチェーン伝動装置の動作説明図。
【図１０】本発明の一実施例であるチェーン伝動装置の動作説明図。
【図１１】本発明の一実施例であるチェーン伝動装置の動作説明図。
【図１２】本発明の一実施例であるチェーン伝動装置の動作説明図。
【図１３】本発明の一実施例であるチェーン伝動装置の動作説明図。
【図１４】本発明の他の実施例であるチェーン伝動装置のリンクプレートの側面図。
【図１５】従来のチェーン伝動装置のチェーンの平面図。
【図１６】従来のチェーン伝動装置のスプロケットの断面図。
【符号の説明】
【００４９】
１００        ，５００      ・・チェーン伝動装置
１１０，２１０，５１０      ・・・チェーン
１１１，２１１              ・・・・内リンクプレート
１１２，２１２              ・・・・外リンクプレート
１１３，２１３              ・・・・リンクプレート歯
１１４，２１４              ・・・・内股部
１１５，２１５              ・・・・外股部
１１６，２１６              ・・・・ブシュ孔
１１７，２１７              ・・・・ピン孔
１２０        ，５２０      ・・・ローラ
１３０        ，５３０      ・・・連結ピン
１４０        ，５４０      ・・・ブシュ
１５０        ，５５０      ・・・スプロケット
１５１        ，５５１      ・・・・スプロケット歯
１５２        ，５５２      ・・・・サイドスプロケット歯
１５３                      ・・・・センタースプロケット
１５４                      ・・・・サイドスプロケット
１６０                      ・・・外リンク
１７０                      ・・・内リンク
【図１】
0004618743.tif 000002
【図２】
0004618743.tif 000003
【図３】
0004618743.tif 000004
【図４】
0004618743.tif 000005
【図５】
0004618743.tif 000006
【図６】
0004618743.tif 000007
【図７】
0004618743.tif 000008
【図８】
0004618743.tif 000009
【図９】
0004618743.tif 000010
【図１０】
0004618743.tif 000011
【図１１】
0004618743.tif 000012
【図１２】
0004618743.tif 000013
【図１３】
0004618743.tif 000014
【図１４】
0004618743.tif 000015
【図１５】
0004618743.tif 000016
【図１６】
0004618743.tif 000017